(57)【特許請求の範囲】
【請求項１】
台所を構成する複数のユニットを組み合わせた集合体の上に横方向に長い横長状に形成されたシンク部を有する天板を載せたシステムキッチンであって、
前記シンク部の下方に位置するシンクユニットと、
前記シンクユニットに対して前記横方向に隣接する筐体状の配管ユニットと、
前記配管ユニットの上方の領域に対応する前記天板から前記シンク部の上方に向けて延び、前記シンク部の上方に位置する吐水部を有する水栓と、
前記配管ユニットの内部を通過して前記水栓に繋がる配管と、
を備え、
前記配管ユニットには、前記配管ユニットの内部を前記横方向の左右において、前記配管が通過する第１空間と収納部となる第２空間とに区画するとともに、前記第１及び第２空間を繋ぐ貫通孔を有する仕切板が配置され、
前記配管ユニットは、前記横方向に対応する縦方向の一方側に位置する面に、前記第１空間に通じる第１開口及び前記第２空間に通じる第２開口を有することを特徴とするシステムキッチン。
【請求項２】
前記水栓は、前記配管ユニットの上方の領域に対応する前記天板に固定される固定部と、前記固定部と前記吐水部を繋ぐとともに、前記固定部に対して所定の軸線回りに回転可能な接続部を有し、
前記配管ユニットの上方の領域に対応する前記天板には、前記天板を上から見て前記シンク部との間に前記固定部を挟んで位置する加熱部を備え、
前記接続部を回転させることで前記吐水部が前記加熱部の上方に位置することが可能である請求項１に記載のシステムキッチン。
【請求項３】
前記縦方向において、前記固定部は前記配管ユニットの上方の領域に対応する前記天板の中間部に位置する請求項２に記載のシステムキッチン。
【請求項４】
前記配管ユニットは、前記第１開口を塞ぐ蓋部を有する請求項１ないし３のいずれか1項に記載のシステムキッチン。
【請求項５】
前記収納部は、前記縦方向の一方側に位置する前板と前記前板に対向する向板を有する箱状に形成され、前記向板を先頭にして前記第２開口から前記配管ユニットの内部に収納された状態で前記前板が前記蓋部と前記第２開口を覆う引出しである請求項４に記載のシステムキッチン。
【請求項６】
台所を構成する複数のユニットを組み合わせた集合体の上に横方向に長い横長状に形成されたシンク部を有する天板を載せたシステムキッチンであって、
前記シンク部の下方に位置するシンクユニットと、
前記シンクユニットに対して前記横方向の両側にそれぞれ隣接する筐体状の配管ユニットと、
両側の前記配管ユニットの上方の領域に対応する前記天板から前記シンク部の上方に向けてそれぞれ延び、前記シンク部の上方に位置する吐水部をそれぞれ有する両側の水栓と、
両側の前記配管ユニットの内部を通過して両側の前記水栓にそれぞれ繋がる両側の配管と、
を備えることを特徴とするシステムキッチン。
【発明の詳細な説明】
【技術分野】
【０００１】
本発明は、システムキッチンに関する。
【背景技術】
【０００２】
例えば、台所を構成する複数種類のユニットを組み合せた集合体に天板を載せたシステムキッチンとして、特許文献１にはシンクと水栓を備えたシステムキッチンが開示される。
【先行技術文献】
【特許文献】
【０００３】
【特許文献１】特開２００９−１０６５９５号公報
【発明の概要】
【発明が解決しようとする課題】
【０００４】
特許文献１のシステムキッチンは、シンクの内壁に水栓が取り付けられ、シンクの下方に位置するシンクユニットの内部には、シンク用と水栓用の配管が必要となり、シンクユニットに備え付ける配管が複雑となる。
【０００５】
本発明の課題は、シンクユニットに備え付ける配管を簡易にすることが可能なシステムキッチンを提供することにある。
【課題を解決するための手段および発明の効果】
【０００６】
本発明のシステムキッチンは、
台所を構成する複数のユニットを組み合わせた集合体の上に横方向に長い横長状に形成されたシンク部を有する天板を載せたシステムキッチンであって、
シンク部の下方に位置するシンクユニットと、
シンクユニットに対して横方向に隣接する筐体状の配管ユニットと、
配管ユニットの上方の領域に対応する天板からシンク部の上方に向けて延び、シンク部の上方に位置する吐水部を有する水栓と、
配管ユニットの内部を通過して水栓に繋がる配管と、
を備え、
配管ユニットには、配管ユニットの内部を横方向の左右において、配管が通過する第１空間と収納部となる第２空間とに区画するとともに、第１及び第２空間を繋ぐ貫通孔を有する仕切板が配置され、
配管ユニットは、横方向に対応する縦方向の一方側に位置する面に、第１空間に通じる第１開口及び第２空間に通じる第２開口を有することを特徴とする。
【０００７】
本発明のシステムキッチンは、配管ユニットの内部を通過する配管に繋がる水栓の吐出部がシンク部の上方に位置するため、水栓からシンク部へ水等を供給することが可能となる。よって、シンクユニットに水栓の配管を設けずにシンク部に水等を供給でき、シンクユニットの配管を簡易にすることが可能となる。
【０００８】
本発明の実施態様では、
第１シンク部は横方向に長い横長状に形成され、
第１ユニットは、シンクユニットに対して横方向に隣接する。
【０００９】
これによれば、シンクユニットに水栓の配管を設けずに第１シンク部の横側から水栓を立ち上げることができる。
【００１０】
本発明の実施態様では、
水栓は、第１ユニットの上方の領域に対応する天板に固定される固定部と、固定部と吐水部を繋ぐとともに、固定部に対して所定の軸線回りに回転可能な接続部を有し、
第１ユニットの上方の領域に対応する天板には、天板を上から見て第１シンク部との間に固定部を挟んで位置する第１加熱部を備え、
接続部を回転させることで吐水部が第１加熱部の上方に位置することが可能である。
【００１１】
これによれば、第１加熱部の上方にも吐水部が位置することになるため、例えば、第１加熱部で加熱した鍋等に水栓から直接水を足すことが可能となる。
【００１２】
本発明の実施態様では、
横方向に対応する縦方向において、固定部は第１ユニットの上方の領域に対応する天板の中間部に位置する。
【００１３】
例えば、第１ユニットの上方の領域に対応する天板において、縦方向の奥側に水栓がある場合は、子供等の身長の低い人は天板の手前側から水栓に手が届きにくい場合がある。しかし、縦方向の中間部にあることで子供等の身長の低い人でも水栓に手を届き易くすることができる。
【００１４】
本発明の実施態様では、
配管が通過する第１ユニットの内部に収納部を有する。
【００１５】
これによれば、配管が通過する第１ユニットの内部を収納としても利用できる。
【００１６】
本発明の実施態様では、
第１ユニットの内部を横方向の左右において配管が通過する第１空間と収納部となる第２空間に区画する仕切板を有し、
仕切板は第１及び第２空間を繋ぐ貫通孔を有し、
第１ユニットは、縦方向の一方側に位置する面に第１空間に通じる第１開口及び第２空間に通じる第２開口を有する。
【００１７】
これによれば、第１開口から第１空間に及び第２開口を経て貫通孔から第１空間に到達することができ、配管が位置する第１空間に２方向から手を伸ばすことが可能となり、配管の施工作業がし易くなる。
【００１８】
更に第１ユニットは、第１開口を塞ぐ蓋部を有する。
【００１９】
これによれば、蓋部により配管を隠すことができる。この蓋部が、例えば、第１開口に着脱可能に取り付けられる場合には、配管の施工後に蓋部を取り付けることで施工時に蓋部が邪魔にならず、施工作業がし易くなる。また、施工後に蓋部を取り付けた後においては、蓋部を取り外すことで配管の点検等をすることができる。
【００２０】
本発明の実施態様では、
収納部は、縦方向の一方側に位置する前板と前板に対向する向板を有する箱状に形成され、向板を先頭にして第２開口から第１ユニットの内部に収納された状態で前板が蓋部と第２開口を覆う引出しである。
【００２１】
これによれば、収納部を引出しにでき、引出しを収納した際には蓋部と第２開口を隠すことができる。
【００２２】
本発明の実施態様では、
第１ユニットとシンクユニットを含む複数のユニットが横方向に連なる。
【００２３】
これによれば、例えば、天板上の水栓が横長状の第１シンク部の横から立ち上がる場合には、横方向にユニットが連なるキッチンに対して縦方向から第１シンクに食器等を運び入れる際などに水栓が邪魔になりにくい。
【００２４】
本発明のシステムキッチンは、
台所を構成する複数のユニットを組み合わせた集合体の上に横方向に長い横長状に形成されたシンク部を有する天板を載せたシステムキッチンであって、
シンク部の下方に位置するシンクユニットと、
シンクユニットに対して横方向の両側にそれぞれ隣接する筐体状の配管ユニットと、
両側の配管ユニットの上方の領域に対応する天板からシンク部の上方に向けてそれぞれ延び、シンク部の上方に位置する吐水部をそれぞれ有する両側の水栓と、
両側の配管ユニットの内部を通過して両側の水栓にそれぞれ繋がる両側の配管と、
を備えることを特徴とする。
【００２５】
これによれば、シンクユニットに水栓用の配管を設けることなくシンク部の両横側から水栓を立ち上げることができる。
【００２６】
本発明の実施態様では、
シンクユニットに背中合わせで第２ユニットが、第１ユニットに背中合わせで第３ユニットが配置される。
【００２７】
これによれば、シンクユニットと第１ユニットの対面に配置された別のユニット（第２、第３ユニット）で作業することができる。
【００２８】
更に第２ユニットの上方の領域に対応する天板に第２シンク部、第３ユニットの上方の領域に対応する天板に第２加熱部を有する、又は第２ユニットの上方の領域に対応する天板に第２加熱部、第３ユニットの上方の領域に対応する天板に第２シンク部を有する。
【００２９】
これによれば、同様の機能を有するユニットが２列に並ぶため、例えば、２世帯で１つのキッチンを同時に使用することが可能となる。
【図面の簡単な説明】
【００３０】
【図１Ａ】本発明の一例のシステムキッチンを示す模式平面図。
【図１Ｂ】図１Ａのシステムキッチンの模式正面図。
【図１Ｃ】図１Ａのシステムキッチンの模式背面図。
【図１Ｄ】図１Ａのシステムキッチンの概略を説明する模式分解斜視図（ただし、配管等は省略してある）。
【図１Ｅ】図１Ａの部分拡大図。
【図２Ａ】図１Ａのシステムキッチンの水栓を示す模式正面図。
【図２Ｂ】図２Ａの水栓の模式平面図。
【図２Ｃ】図２Ａの水栓の接続部及び吐水部を延ばした状態を示す模式正面図。
【図３Ａ】図１Ａのシステムキッチンのシンクユニットを示す模式正面図。
【図３Ｂ】図３Ａのシンクユニットから引出しを取り外した状態の模式正面図（ただし、スライドレール等は省略してある）。
【図３Ｃ】図３Ａのシンクユニットの模式右側面図。
【図３Ｄ】図３ＡのＩＩＩＤ−ＩＩＩＤ模式断面図。
【図３Ｅ】図３ＣのＩＩＩＥ−ＩＩＩＥ模式断面図。
【図３Ｆ】図３ＣのＩＩＩＦ−ＩＩＩＦ模式断面図。
【図４Ａ】図１Ａのシステムキッチンの配管ユニットを示す模式正面図。
【図４Ｂ】図４Ａの配管ユニットから引出し及び蓋部を取り外した状態の模式正面図（ただし、スライドレール等は省略してある）。
【図４Ｃ】図４Ａのシンクユニットの模式右側面図。
【図４Ｄ】図４ＡのＩＶＤ−ＩＶＤ模式断面図。
【図４Ｅ】図４Ｄの部分拡大図。
【図４Ｆ】図４ＣのＩＶＦ−ＩＶＦ模式断面図。
【図４Ｇ】図４ＡのＩＶＧ−ＩＶＧ模式断面図。
【図４Ｈ】図４ＣのＩＶＨ−ＩＶＨ模式断面図。
【図５】図１Ａのシステムキッチンの変形例１を示す模式平面図。
【図６Ａ】図１Ａのシステムキッチンの変形例２を示す模式平面図。
【図６Ｂ】図６Ａのシステムキッチンの模式正面図。
【発明を実施するための形態】
【００３１】
図１Ａ〜図１Ｃは本発明の一例であるシステムキッチン１を示し、図１Ｄはシステムキッチン１の模式分解斜視図を示す。図１Ｄに示すようにシステムキッチン１は、天板２と、天板２が上に載置される複数種類のユニットの集合体３と、天板２及び集合体３を支える脚部４を備える。
【００３２】
図１Ｄに示すように天板２は横長の矩形板状のワークトップ５として構成される。ワークトップ５は、横方向に延びる長辺５ａと縦方向に延びる短辺５ｂを有する。ワークトップ５の上面にはシンク部６と加熱部７と水栓８が配置される。
【００３３】
シンク部６はワークトップ５の中央部に第１シンク６ａと第２シンク６ｂを有する。第１シンク６ａはワークトップ５の長辺５ａに沿って横方向に延びる横長状に形成され、第１シンク６ａの底部に排水口ＤＲ１が備わる。第２シンク６ｂの構成は第１シンク６ａと同様であり、第１及び第２シンク６ａ、６ｂはワークトップ５の縦方向（短辺５ｂに沿う方向）の前後に一定の間隔を空けて互いに向き合って配置される。
【００３４】
加熱部７はワークトップ５の一端部（図１Ｄの右側）に第１加熱部７ａと第２加熱部７ｂを有する。第１加熱部７ａは矩形板状の第１電磁調理器９として構成される。第１電磁調理器９は第１シンク６ａの右側方に位置し、複数（例えば４つ）のコンロ９ａを有する。４つのコンロ９ａは、正方形の各角に対応するように配置される。第２加熱部７ｂは第１加熱部７ａより横長の矩形板状の第２電磁調理器１０として構成される。第２電磁調理器１０は第２シンク６ｂの右側方に位置し、複数（例えば３つ）のコンロ１０ａを有する。３つのコンロ１０ａは、三角形の各角に対応するように配置される。第１及び第２電磁調理器９、１０はワークトップ５の縦方向（短辺５ｂに沿う方向）の前後に一定の間隔を空けて互いに向き合って配置される。
【００３５】
水栓８は第１シンク６ａと第１電磁調理器９の間に位置する第１水栓８ａと、第２シンク６ｂと第２電磁調理器１０の間に位置する第２水栓８ｂを有する。第１水栓８ａは、ワークトップ５から第１シンク６ａの上方に向けて延びるように形成される。具体的には、図２Ａ及び図２Ｂに示すように第１水栓８ａは、固定部１１と接続部１２と吐水部１３を有する。固定部１１はワークトップ５の上面から鉛直方向に延びる軸線Ｏ１（所定の軸線）を軸とする円筒状に形成される。円筒状の固定部１１は、下端部がワークトップ５の上面に固定され、上端部には湯水の供給を操作するハンドル１１ａが備わる。図２Ｂに示すようにハンドル１１ａはＬ字状に形成され、Ｌ字状の一辺Ｌ１が軸線Ｏ１に直交するように固定部１１に取り付けられる。ハンドル１１ａは軸線Ｏ１回りで所定の角度範囲で回転可能となり、供給する対象（湯水）を選択できる。また、図２Ａに示すようにハンドル１１ａはＬ字状の一辺Ｌ１を軸とする軸回りに所定の角度範囲で回転可能となり、その角度に応じて湯水の止水と出水を操作できる。
【００３６】
接続部１２は、固定部１１の上端から斜め上方に延びる管状に形成される。接続部１２は下端部が固定部１１に接続され、例えば、図示しない回転機構により固定部１１に対して軸線Ｏ１回りに回転可能に接続される。
【００３７】
吐水部１３は、接続部１２の上端部に繋がり水平方向に延びる管状に形成され、例えば、水平方向に延びた管の先端部の下方に吐水口１３ａが備わる。一方、管状の吐水部１３の後端部は接続部１２に接続され、吐水部１３は、例えば、図示しない回転機構により接続部１２に対して軸線Ｏ２（鉛直方向に延びる軸線、図２Ａ及び２Ｂ参照）回りに回転可能となる。よって、吐水部１３は接続部１２を介して固定部１１に繋がれ、接続部１２が固定部１１に対して軸線Ｏ１回りに回転可能であり、かつ、吐水部１３が接続部１２に対して軸線Ｏ２回りに回転可能である。例えば、図２Ｃに示すように吐水部１３が軸線Ｏ１から離れるように接続部１２及び吐水部１３を延ばすことにより軸線Ｏ１を基準として吐水口１３ａと軸線Ｏ１との距離Ｄ１が変更可能となる。
【００３８】
また、図１Ｄに示す第２水栓８ｂの構成は第１水栓８ａと同様である。以下の説明では第２水栓８ｂの各部材は第１水栓８ａの各部材と同じ符号を付し、第２水栓８ｂの説明は省略する。図１Ｅに示すようにワークトップ５を上から見た第１水栓８ａの周辺では、第１水栓８ａは軸線Ｏ１及び固定部１１が第１シンク６ａと第１電磁調理器９の間に位置する。軸線Ｏ１と第１シンク６ａまでの距離Ｄ２が距離Ｄ１（図２Ｃ参照）より短く（Ｄ１＞Ｄ２）、かつ、軸線Ｏ１と第１電磁調理器９までの距離Ｄ３が距離Ｄ１より短く（Ｄ１＞Ｄ３）なるように第１水栓８ａが配置される。
【００３９】
よって、図１Ｅに示すように接続部１２が固定部１１から第１シンク６ａの上方に向けて横方向に延びた状態では、吐水部１３（吐水口１３ａ）が第１シンク６ａの上方に位置する。また、第１水栓８ａでは、固定部１１に対して接続部１２が軸線Ｏ１回りに回転可能であるため、吐水口１３ａを第１電磁調理器９の上方に移動させることが可能となる。以上、第１水栓８ａについて説明したが、第２水栓８ｂに関しても同様となる。
【００４０】
図１Ｄに戻ってユニットの集合体３の詳細について説明する。ユニットの集合体３は台所を構成する機能毎に分かれた部品を組み合わせた集合体である。本実施例では、ユニットの集合体３は、主にシンクユニット１４、配管ユニット１５及び食洗機ユニット１６を有する。以下で説明する各ユニットの外形は、高さ及び奥行が同一又は略同一の直方体状に形成される。
【００４１】
シンクユニット１４は、図１Ａに破線で示されるように第１シンク６ａの下方に位置する第１シンクユニット１４ａと、第２シンク６ｂの下方に位置する第２シンクユニット１４ｂを有する。第１シンクユニット１４ａは、図１Ｄに示すように上面が開放した直方体状（筐体状）であり、かつ、その開放部分から内部に第１シンク６ａが入り込むように形成される。図３Ａ〜図３Ｆには第１シンクユニット１４ａの詳細が示される。第１シンクユニット１４ａの模式断面図の図３Ｄに示すように第１シンクユニット１４ａは、開口１７と、開口１７を通じて第１シンクユニット１４ａ内に収納される引出し１８（上側の引出しと下側の引出し）を有する。
【００４２】
引出し１８を取り外した第１シンクユニット１４ａを正面から見ると（図３Ｂ参照）、開口１７は横長矩形状に形成され、開口１７の上部には開口１７の一辺をなす前板１７ａが位置する。ワークトップ５を上から見て（図１Ａ）、図１Ａには開口１７が図示されていないが、開口１７は、ワークトップ５の縦方向の下側（図１Ａの下側に位置する長辺５ａ側）に位置する。
【００４３】
図３Ｄに戻って、引出し１８は上方に突出する前板１８ａと、前板１８ａに対向する向板１８ｂとを有した容器状に形成される。引出し１８は向板１８ｂを先頭にし、例えば、図３Ｅに示すスライドレールＳＬ等を介して開口１７（図３Ｄ参照）から第１シンクユニット１４ａ内に挿入される。そして、図３Ｄに示すように前板１８ａが開口１７を塞いだ状態で引出し１８が第１シンクユニット内に収納される。図３Ａに示すように引出し１８が第１シンクユニット１４ａ内に収納された状態で前板１８ａが第１シンクユニット１４ａの外面となり、前板１８ａには取っ手１８ｃが備わる。本実施例では上下に２つの引出し１８を有し、第１シンクユニット１４ａ内に２つの引出し１８が収納された状態で、２つの前板１８ａにより開口１７及び前板１７ａ（図３Ｂ）が隠れる。
【００４４】
図３Ｅ及び図３Ｆに示すように上側の引出し１８は凹字状の容器として形成される。この引出し１８が収納された状態で、図３Ｆに示すように向板１８ｂが第１シンク６ａのシンクカバーＣの一部を挟むように位置する。一方、図３Ｅに示すように下側の引出し１８は、方形状の容器として形成される。下側のこの引出し１８が収納された状態で、向板１８ｂが第１シンク６ａの排水管ＤＲ２と対向して位置する。なお、図３ＥではシンクカバーＣは省略してある。
【００４５】
以上、第１シンクユニット１４ａの説明をしたが、第２シンクユニット１４ｂの構成は第１シンクユニット１４ａと同様である。以下の説明では、第２シンクユニット１４ｂの各部材は第１シンクユニット１４ａの各部材と同じ符号を付し、第２シンクユニット１４ｂの説明を省略する。図１Ａに示すように第１、第２シンクユニット１４ａ、１４ｂは、互いの取っ手１８ｃが反対側を向くように互いに背中合わせで配置される。
【００４６】
次に配管ユニット１５を説明する。図１Ａに示すように配管ユニット１５は、第１水栓８ａの固定部１１と第１電磁調理器９の下方に位置する第１配管ユニット１５ａと、第２水栓８ｂの固定部１１と第２電磁調理器１０の下方に位置する第２配管ユニット１５ｂを有する。図１Ａでは、第１、第２配管ユニット１５ａ、１５ｂは、ワークトップ５の下方に位置するとして破線で示される。第１配管ユニット１５ａは、図１Ｄに示すように上部が開放された直方体状（筐体状）であり、かつ、その開放部分から内部に第１電磁調理器９が入り込むように形成される。また、第１配管ユニット１５ａは内部を区画する仕切板１９を有する。図４Ａ〜図４Ｈには第１配管ユニット１５ａの詳細が示される。例えば、図４Ｂには第１配管ユニット１５ａから下記で説明する引出し２２（図１Ｄ参照）を取り外した状態の模式正面図が示される。図４Ｂに示すように第１配管ユニット１５ａは、仕切板１９と、第１配管ユニット１５ａの内と外を繋ぐ開口２０と、開口２０の一部を塞ぐ蓋部２１（図４Ｄ及び図４Ｅ参照）と、開口２０に収納される引出し２２（図４Ｇ参照）を有する。
【００４７】
仕切板１９は図１Ｄに示すように矩形板状に形成される。仕切板１９は第１配管ユニット１５ａの内部をワークトップ５の横方向の左右に区画し、左側に第１空間Ｓ１、右側に第２空間Ｓ２を形成する。図４Ｆ〜図４Ｈに示すように仕切板１９は表裏を貫通する複数（例えば２つ）の貫通孔１９ａが形成され、貫通孔１９ａにより第１、第２空間Ｓ１、Ｓ２が繋がる。図１Ｂに示すように第１空間Ｓ１の上方に固定部１１が位置し、第２空間Ｓ２の上方に第１電磁調理器９（図１Ｂでは図示省略）の一部が位置する。
【００４８】
引出し２２を取り外した第１配管ユニット１５ａを正面から見ると（図４Ｂ参照）、開口２０は矩形状に形成される。ワークトップ５を上から見て（図１Ａ）、図１Ａには開口２０が図示されていないが、開口２０は、ワークトップ５の縦方向の下側（図１Ａの下側に位置する長辺５ａ側）に位置する。図４Ｂに示すように開口２０は、仕切板１９により第１空間Ｓ１に通じる縦長矩形状の第１開口２０ａと第２空間Ｓ２に通じる縦長矩形状の第２開口２０ｂを有する。第１開口２０ａの背後（第１配管ユニット１５ａの内部）には第１配管ユニット１５ａの上側の内面から下方に、及び、下側の内側から上方に延びて第１開口２０ａの角部の内側に位置する板状部材２３が複数（４つ）形成される（図４Ｄ及び図４Ｅ参照）。
【００４９】
蓋部２１は、図４Ｂでは省略されているが、図４Ｂに示す第１開口２０ａの内側に収まり、かつ、第１開口２０ａを塞ぐように縦長矩形状板に形成される。蓋部２１は、第１配管ユニット１５ａの模式断面図の図４Ｄと図４Ｅに示すように、板状部材２３に支持されるようにして第１開口２０ａの内側に位置する。そして、蓋部２１は、ビス２３ａ（図４Ｅ参照）等の固定手段により板状部材２３に着脱可能に固定される。蓋部２１を固定する方法は、ビス等を用いる方法に限らず、蓋部２１を第１開口２０ａに嵌め込み固定する等、第１開口２０ａを塞ぐことができればよい。
【００５０】
図４Ｇに示すように引出し２２は、上方に突出する前板２２ａと、前板２２ａに対向する向板２２ｂを有した方形容器状に形成される。引出し２２は向板２２ｂを先頭にし、例えば、図４Ｆに示すスライドレールＳＬ等を介して、図４Ｂに示す第２開口２０ｂから第１配管ユニット１５ａ内に挿入される。図４Ａに示すように引出し２２が第１配管ユニット１５ａ内に収納された状態で前板２２ａが第１配管ユニット１５ａの外面となり、前板２２ａには取っ手２２ｃが備わる。本実施例では第１配管ユニット１５ａ内に上下２つの引出し２２が収納された状態で、２つの前板２２ａにより第１及び第２開口２０ａ、２０ｂ並びに蓋部２１（図４Ｂ、図４Ｅ参照）の全部が隠れる。
【００５１】
第１配管ユニット１５ａの内部には、図１Ｂに示すように第１空間Ｓ１を上下方向に通過して上方で第１水栓８ａに繋がり、下方で第１配管ユニット１５ａから外部に出る水栓用の配管２４が位置する。配管２４は第１水栓８ａに湯水を供給する通路となる。また、第２空間Ｓ２においては、収納された引出し２２の後方の空間Ｓ３（図４Ｈ参照）に第１電磁調理器９に繋がる配線２５が位置する。例えば、配線２５は、図１Ｂに示すように第２空間Ｓ２から第１配管ユニット１５ａの外部に導かれる。
【００５２】
以上、第１配管ユニット１５ａの説明をしたが、第２配管ユニット１５ｂの構成は第１配管ユニット１５ａと同様である。以下の説明では、第２配管ユニット１５ｂの各部材は第１配管ユニット１５ａの各部材と同じ符号を付し、第２配管ユニット１５ｂの説明を省略する。図１Ａに示すように第１配管ユニット１５ａは、第１シンクユニット１４ａと同様に図１Ａの下側に取っ手２２ｃが位置するように第１シンクユニット１４ａの右横に隣接して位置する。第２配管ユニット１５ｂは、第１配管ユニット１５ａと互いの取っ手２２ｃが反対側を向くように第１配管ユニット１５ａに背中合わせで配置される。これにより、第２配管ユニット１５ｂは、第２シンクユニット１４ｂと同様に図１Ａの上側に取っ手２２ｃが位置するように第２シンクユニット１４ｂの右横に隣接して位置する。
【００５３】
図１Ｄに戻って食洗機ユニット１６を説明する。食洗機ユニット１６は、筐体状に形成され、内部に周知の食器洗浄機部が備わる。図１Ａに示すように食洗機ユニット１６は、第１シンクユニット１４ａと同様に図１Ａの下側に食器洗浄機部の引出しや扉１６ａ等が位置するようにして第１シンクユニット１４ａの左横に配置される。また、食洗機ユニット１６の対面側（第２シンクユニット１４ｂの左横）には、食洗機ユニット１６と外形が同一又は略同一寸法であり、任意の機能を有する任意ユニット２６が配置される。任意ユニット２６は、食洗機ユニット１６に背中合わせ、かつ、第２シンクユニット１４ｂの左横に隣接して位置する。
【００５４】
図１Ｄに示すように以上の各ユニットの集合体３を支える脚部４は、矩形状のフレーム４ａと、フレーム４ａの４つの角部を下方から支持する脚４ｂを有する台座状に形成される。フレーム４ａ上にユニットの集合体３が載置されると、床面とユニットとの間に低い隙間を形成することができる。
【００５５】
システムキッチン１は、以上の各部材を組み合せることで構成される。具体的には、図１Ｄに示すように各脚４ｂが床面に接するように載置した脚部４のフレーム４ａ上に、蓋部２１及び引出し２２を取り外した第１配管ユニット１５ａ（図４Ｂ参照）等のユニット１４、１６、２６を載せる。そして、ユニットの集合体３の上にワークトップ５を載置する。例えば、水栓８の配管２４の施工時には図４Ｂに示す第１開口２０ａを通じて及び第２開口２０ｂから貫通孔１９ａ（図４Ｇ）を通じて第１空間Ｓ１に手を入れて、第１空間Ｓ１に配管２４を取り付ける。配管２４の取り付け後には第１開口２０ａを蓋部２１（図４Ｅ）で塞ぐことにより配管２４を隠し、その後、引出し２２が取り付けられる。また、シンクユニット１４の排水管ＤＲ２及び第１、第２電磁調理器９、１０の配線等も同様に処理される。そして、図１Ａに示すようにアイランド型のシステムキッチン１が組み立てられる。
【００５６】
本実施例のシステムキッチン１では、図１Ｂに示すように第１シンク６ａに水を供給できる第１水栓８ａの配管２４が、第１シンクユニット１４ａではなく、第１配管ユニット１５ａに設けられる。よって、第１シンクユニット１４ａに水栓用の配管を設けずに第１シンク６ａに湯水を供給できる。そして、第１シンクユニット１４ａの配管を第１シンク６ａの排水管ＤＲ２だけにでき、配管が簡易となる。
【００５７】
図１Ｂに示すように第１配管ユニット１５ａは、第１シンクユニット１４ａに右横に隣接するため、第１シンク６ａの横側から第１水栓８ａを立ち上げることができる。
【００５８】
図１Ｅに示すように第１配管ユニット１５ａの上方の領域に対応するワークトップ５では、第１シンク６ａと第１電磁調理器９の間に第１水栓８ａの固定部１１が位置する。そして、第１水栓８ａの接続部１２が軸線Ｏ１回りに回転することで吐水口１３ａを第１電磁調理器９の上方に移動できる。よって、第１水栓８ａから第１シンク６ａに湯水を供給できる一方で、第１電磁調理器９で加熱される鍋等にも直接水を足せる。
【００５９】
第１水栓８ａの固定部１１は、図１Ａに示す第１配管ユニット１５ａの上方の領域に対応するワークトップ５の領域（図１Ａで破線で仕切られた領域）で図１Ａの縦方向の中間部に位置する。そのため、ワークトップ５の手前側（図１Ａの下側）から第１水栓８ａに手が届き易くなる。
【００６０】
図４Ｂ及び図４Ｇに示すように第１配管ユニット１５ａは、仕切板１９の貫通孔１９ａ（図４Ｇ）と第１開口２０ａ及び第２開口２０ｂ（図４Ｂ）を有する。よって、配管２４（図１Ｂ参照）の施工時に第１開口２０ａからと、第２開口２０ｂを通じて貫通孔１９ａからの２方向から第１空間Ｓ１に手を伸ばすことができ、配管２４の施工作業がし易くなる。
【００６１】
図４Ｅに示すように第１開口２０ａには第１開口２０ａを塞ぐ蓋部２１が備わることで、外側から第１空間Ｓ１に備わる配管２４を隠すことができる。また、図４Ｇに示すように引出し２２が収納され、図４Ａに示す収納時には引出し２２の前板２２ａが蓋部２１（第１開口２０ａ）と第２開口２０ｂ（図４Ｂ参照）を覆うことで、引出し２２の収納時に蓋部２１と第２開口２０ａを隠すことができる。
【００６２】
図１Ａに示すように第１シンクユニット１４ａに背中合わせで第２シンクユニット１４ｂが配置され、第１配管ユニット１５ａに背中合わせで第２配管ユニット１５ｂが配置される。よって、第１シンクユニット１４ａや第１配管ユニット１５ａの対面に位置するユニットで作業をすることができる。そして、同様の機能を有するユニットが２列に並ぶため２世帯で１つのキッチンを同時に使用できる。
【００６３】
また、食洗機ユニット１６及び任意ユニット２６、第１及び第２シンクユニット１４ａ、１４ｂ、並びに、第１及び第２配管ユニット１５ａ、１５ｂが横方向に連なる。そのため、図１Ａに示すようにワークトップ５に対して縦方向から第１及び第２シンク６ａ、６ｂに食器等を運び入れる際などに第１及び第２水栓８ａ、８ｂが邪魔になりにくい。
【００６４】
以上、本発明の実施例を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００６５】
上記の説明では、シンクユニット１４の右横に配管ユニット１５を隣接させた例を説明したが、配管ユニット１５はシンクユニット１４の左横や上下に隣接させてもよい。図５に示すようにシンクユニット１４の横方向の両側に配管ユニット１５を隣接させてもよい。これにより、シンクユニット１４に水栓用の配管を設けずにシンクの両横側から水栓を立ち上げることができる。
【００６６】
また、上記の説明では６つのユニットを組み合せた例を説明したが、組み合わせるユニットは適宜選択でき、図６Ａ及び図６Ｂに示すユニットの組み合わせなど種々のユニットの組み合わせが可能である。なお、上記ではシンクと電磁調理器がそれぞれ２つある例を説明したが、シンクと電磁調理器の数は２つに限られず、それぞれ１つでも３つ以上でもよく、シンクと電磁調理器の数を変えてもよい。加熱部として電磁調理器を例示したが、コンロなどの加熱できる機能を有するものであれば何でもよい。
【００６７】
上記の説明では６つのユニットを組み合せることで、２世帯が対面して調理を行える例を説明したが、夫婦別々に対面して調理を行うことも可能である。更にユニットの組み合わせを工夫することで、２世帯に限らず、３世帯以上の多世帯でも１つのキッチンを同時に使用できる。
【符号の説明】
【００６８】
１      システムキッチン            ３      ユニットの集合体
５      ワークトップ                ６ａ    第１シンク
６ｂ    第２シンク                  ８ａ    第１水栓
９      第１電磁調理器              １０    第２電磁調理器
１１    固定部                      １２    接続部
１３    吐水部                      １４ａ  第１シンクユニット
１６ａ  第１配管ユニット            １６ｂ  第２配管ユニット
【図１Ａ】
0006513446.tif 000002
【図１Ｂ】
0006513446.tif 000003
【図１Ｃ】
0006513446.tif 000004
【図１Ｄ】
0006513446.tif 000005
【図１Ｅ】
0006513446.tif 000006
【図２Ａ】
0006513446.tif 000007
【図２Ｂ】
0006513446.tif 000008
【図２Ｃ】
0006513446.tif 000009
【図３Ａ】
0006513446.tif 000010
【図３Ｂ】
0006513446.tif 000011
【図３Ｃ】
0006513446.tif 000012
【図３Ｄ】
0006513446.tif 000013
【図３Ｅ】
0006513446.tif 000014
【図３Ｆ】
0006513446.tif 000015
【図４Ａ】
0006513446.tif 000016
【図４Ｂ】
0006513446.tif 000017
【図４Ｃ】
0006513446.tif 000018
【図４Ｄ】
0006513446.tif 000019
【図４Ｅ】
0006513446.tif 000020
【図４Ｆ】
0006513446.tif 000021
【図４Ｇ】
0006513446.tif 000022
【図４Ｈ】
0006513446.tif 000023
【図５】
0006513446.tif 000024
【図６Ａ】
0006513446.tif 000025
【図６Ｂ】
0006513446.tif 000026